(57)【特許請求の範囲】
【請求項１】
都市ごみからの風力選別後のテーリングを、水平水流中に投入して比重選別し、可燃物と不燃物とを分離選別する方法であって、前記水平水流の流速と、テーリング投入位置から不燃物沈降回収位置までの距離とを、前記テーリングの特性に応じて設定することを特徴とする都市ごみからの不燃物の分離選別方法。
【請求項２】
流路の途中に沈降分離部を備えた水平樋と、水量調整装置を備え該水平樋に水を供給する水供給装置と、前記水平樋への投入位置を可変にした都市ごみからの風力選別後のテーリング供給装置とを備えたことを特徴とする都市ごみからの不燃物の分離選別装置。
【請求項３】
ウエジワイヤスクリーン及び綿ごみ回収装置を備えたことを特徴とする請求項２記載の都市ごみからの不燃物の分離選別装置。
【発明の詳細な説明】
【０００１】
【発明の属する技術分野】
本発明は、都市ごみなどの廃棄物から固形燃料を製造する際に、都市ごみからの風力選別工程で分離されたテーリング中に含まれる可燃物と不燃物とをさらに分離選別する、都市ごみからの不燃物の分離選別方法およびその装置に関する。
【０００２】
【従来の技術】
近年、いわゆる都市ごみの処理における、ダイオキシン類等の微量有害物質の排出基準が強化され、また廃棄物循環社会の創出が求められている昨今の状勢下にあって、都市ごみの焼却処理に代えて、都市ごみ中の可燃物を分離しこれを固形燃料として利用する都市ごみの固形燃料化が注目を浴び、その技術開発が盛んに行われている。このような都市ごみの固形燃料化技術としては、都市ごみを受け入れた後、破砕、選別、乾燥、成形の各工程を順次経て固形燃料を製造するという基本的なプロセスが既に確立されている。
【０００３】
例えば、特開平７−１５０１５８号公報には、ごみや汚泥などの廃棄物から固形燃料を製造する際の可燃物選別成形方法において、廃棄物の収容袋を破袋し、磁性体金属を除去した後１次破砕し、該廃棄物を乾燥させた後、垂直上昇気流を形成する密閉容器内に装入し、重い不燃物は沈降させると共に、軽い可燃物は該上昇気流に同伴させて回収して可燃物を選別し、更に２次破砕した後成形するごみ中の可燃物選別成形方法及びその装置が開示されている。
【０００４】
ところが、前記特開平７−１５０１５８号公報に記載されたごみ中の可燃物選別技術においても、垂直上昇気流を形成する内部循環型風力選別機で分離選別された残さ（テーリング）は、主としてガラス、石くず、非鉄くず等の不燃物から成り立っているとは言うものの、基本的には不燃物のみとは限らず、比較的重い可燃物を含んでいる。これは、風力選別の前工程の乾燥工程で、ごみの種類によって水分率にばらつきが生ずる等の事情に起因して、例えば、塊状の野菜、果物くずのように内部から水分が抜けきらずに真比重が大きいものが含まれることや、可燃物が不燃物に付着している場合がある等、ごみの種類や性状に起因するものである。このような性状をもつごみを前記風力選別機に装入しても、テーリングに可燃物が含まれているという問題点がある。
【０００５】
上記テーリングは、都市ごみ全体に対して、１〜３質量％程度の量であり、最終処分場にて埋め立て処分される。ところが、前記のように可燃物を含む場合、最終処分場においてもテーリング中に含まれる可燃物の腐敗が問題となっており、また、不快な臭気を発生する問題もあり、テーリング中に含まれる可燃物の量も規制の対象となる情勢下にある。
【０００６】
【発明が解決しようとする課題】
本発明はこのような問題点を解決するため、都市ごみの風力選別後のテーリングからさらに可燃物を分離して可燃物と不燃物との高精度の分離を行うことを目的とし、簡易な方法と、低廉な装置を開発し、都市ごみからの不燃物の分離選別方法及びその装置を提供することを課題とするものである。
【０００７】
【課題を解決するための手段】
本発明は、都市ごみからの風力選別後のテーリングを、水平水流中に投入して比重選別し、可燃物と不燃物とを分離選別する方法であって、前記水平水流の流速と、テーリング投入位置から不燃物沈降回収位置までの距離とを、前記テーリングの特性に応じて設定することを特徴とする都市ごみからの不燃物の分離選別方法である。本発明においてテーリングとは、都市ごみから風力選別により分離した残さであり、比重の比較的大きいものを言う。風力選別したテーリングは風力抵抗が小さく沈降しやすいものであり、大部分は不燃物であるが、塊状や重い可燃物も沈降し、テーリング中に混入する。本発明はこのテーリングをさらに水流により比重分離して可燃物と不燃物とに分離選別する。都市ごみを乾燥して風力選別した後のテーリングは、ごみ全体に対して少量であること、水流を媒体とした比重選別により容易に高い精度で分別できる特性を有すること、臭気の発生をほぼ完全に抑制することができることを知見し、本発明を完成した。
【０００８】
本発明では、前記水平水流の流速と、テーリング投入位置から不燃物沈降回収位置までの距離とを、前記テーリングの特性に応じて設定する。このテーリングの特性は、サンプルを静水中で沈降させる沈降試験によって求めてもよく、また、前記流速と前記距離とを変化させた時の水平水流による分離選別物を調べてこれらの関係を求めてもよく、さらには試行錯誤によりテーリングの内容物に応じた最適な設定値を定めることとしてもよい。
【０００９】
さらに、上記方法において、分離選別後の可燃物を固形燃料化するときに緻密な成形を妨げる、可燃物中の綿ごみを分離すると好ましい。
【００１０】
次に、上記本発明方法を好適に実施をすることができる本発明の装置は、流路の途中に沈降分離部を備えた水平樋と、水量調整装置を備え該水平樋に水を供給する水供給装置と、前記水平樋への投入位置を可変にした都市ごみからの風力選別後のテーリング供給装置とを備えたことを特徴とする都市ごみからの不燃物の分離選別装置である。
【００１１】
さらに、ウエジワイヤスクリーン及び綿ごみ回収装置を備えることによりさらに分離精度の高い分別をすることができ好ましい。ウエジワイヤスクリーンは横断面が倒立台形状の多数のワイヤを並列して水流方向にスリットを形成し、その上に水流を供給し、水切りを図ると共に、篩分けによりスリットの上下に水中含有固形物を分離する固定式スクリーンである。ウエジワイヤスクリーンは綿ごみなどをスクリーンにからませることなく水と共にスクリーン下に除去し、一方、スクリーン上面が平坦でスクリーン上の産物をスクレーパ等により容易に搬送排出できるメリットがある。綿ごみ回収装置は例えばウエジワイヤスクリーンの下方に設けた貯水槽上端に堰を設け、この堰からオーバーフローする水に同伴させて除去する装置とすればよい。
【００１２】
【発明の実施の形態】
以下図面を参照して本発明の実施の形態を説明する。図１に本発明の実施例のフローシートを示した。本発明の分離選別装置はテーリング供給装置１、水供給装置１０、分離装置２０、可燃物回収装置３０、綿ごみ回収装置４０、設定装置５０から構成されている。
【００１３】
テーリング供給装置１は、都市ごみから風力選別工程より排出された可燃分を含むテーリング２を緊急時戻しダンパ３を介し、ＮＯ．１受入コンベア４、及びＮＯ．２受入コンベア６に供給する。緊急時にはダンパ３を切替えてテーリング２を排出する。供給されたテーリング５は落下シュート７より、落下物８として水平樋２１中に落下する。
【００１４】
水供給装置１０は次の通りである。補給水１１は循環槽１２に供給され、循環ポンプ１３により配管１４を介して給水タンク１５に供給され、給水タンク１５から制御弁１８、給水管１７を介して水平樋２１に供給される。給水タンク１５の余剰水はオーバーフロー配管１６を経て循環槽１２に戻される。
【００１５】
分離装置２０は流路の途中に沈降分離部２２を備えた水平樋２１から成る。水流中に供給された落下物８中の比重の大きいものは水平水流２７により移動中に沈降分離部２２中に沈降し、比重の小さいものは水流２７と共に水平搬送される。沈降分離部２２で沈降分離された沈降物２３はスクリューコンベア２４を経て廃棄物２５として廃棄物コンテナ２６へ排出される。この廃棄物２５は可燃物含有量はゼロに近く、腐敗したり臭気を発することなく、テーリング２に比べて量も少なく、埋め立て処分に適している。
【００１６】
比重の小さい可燃物は、水平水流２７に同伴されて可燃物回収装置３０に送られ、ウエジワイヤスクリーン３１上で、水切りされる。水切りされた可燃物はウエジワイヤスクリーン３１上をスクレーパ３３により水平運搬されて排出３４され、可燃物回収コンベヤ３５により回収され、回収物３６としてごみピットヘ戻される。
【００１７】
分離した水３２は貯水槽４１に入る。綿ごみ回収装置４０は次の通りである。水平水流２７とともにウエジワイヤスクリーン３１上に落下した可燃物の中で、水と共にスクリーンメッシュを通過した微細な綿ごみは貯水槽４１へ落下し、貯水槽４１中の水面上に浮遊する。この浮遊した綿ごみは、貯水槽４１の側壁に設けた分離堰４４を越えてオーバーフロー４５として隣接する排泥槽４３に落下する。この綿ごみはスラッジ状として排泥槽４３内に堆積され、その下部より排泥ポンプ４６によって配管４７を介して系外へ排出される。また沈降槽４１において綿ごみを分離した水は、連通管４２を介して循環槽１２に戻され、再利用される。
【００１８】
さらに次に示す設定装置５０を設けてもよい。設定装置５０は設定器５１から成り、水量設定値５２及び落下シュート７の位置の設定値５３を設定するもので、これらの値を出力し、水量調整弁１８の開度及び落下シュート７の位置を調整する。この調整はテーリングの特性に応じて定められる。例えば風力選別のテーリング中に含まれるもののうち、貝殻等の不燃物は水中では沈降しにくく、ゴム類等の可燃物は浮上しにくく、プラスチック類を含む可燃物は浮上しやすい。従って、テーリングの特性によって分別条件を選定する必要がある。
【００１９】
【実施例】
図１にフローを示す実施例の都市ごみからの不燃物の分離選別装置を用いて、日量２０ｔの都市ごみの固形燃料製造工程中の風力選別装置から排出される日量０．３ｔ（受入れごみの１．５％）のテーリングの分別処理を実施した。分離選別装置の処理速度は０．５ｔ／ｈで、供給水５の供給量は０．３〜０．８ｍ3／分、水平樋２１内を流れる水平水流の流速は０．３〜１．２ｍ／秒の範囲で可変とした。  テーリング落下シュート７の位置と沈降分離部２２との距離は、０．２〜０．６ｍの範囲で可変とした。
【００２０】
試験操業により、水平水流の流速及びテーリング落下シュート７の位置の適正値を求めた。図１に示す装置を用いて都市ごみからの風力選別後のテーリングをさらに可燃物と不燃物に高精度で分離を行うことができた。ガラス、石くず、非鉄くず等の可燃分を伴わない不燃物が日量０．０６ｔ得られた。本装置を用いて風力選別後のテーリングを約５分の１に減容化することができ、併せて無臭化を達成することができた。
【００２１】
【発明の効果】
本発明によれば、都市ごみからの風力選別後のテーリングから可燃物と不燃物とを高精度で分離することができ、廃棄物を減容すると共に悪臭除去を達成するというすぐれた効果を奏する。
【図面の簡単な説明】
【図１】実施例のフローシートである。
【符号の説明】
１    テーリング供給装置
２    風力選別後のテーリング
３    ダンパ
４    ＮＯ．１受入コンベア
５    供給されたテーリング
６    ＮＯ．２受入コンベア
７    落下シュート
８    落下物
１０    水供給装置
１１    補給水
１２    循環槽
１３    循環ポンプ
１４    配管
１５    給水タンク
１６    オーバーフロー配管
１７    給水管
１８    制御弁
２０    分離装置
２１    水平樋
２２    沈降分離部
２３    沈降物
２４    スクリューコンベア
２５    廃棄物
２６    廃棄物コンテナ
２７    水平水流
３０    可燃物回収装置
３１    ウエジワイヤスクリーン
３２    水
３３    スクレーパ
３４    排出
３５    可燃物回収コンベア
３６    回収物
４０    綿ごみ回収装置
４１    貯水槽
４２    連通管
４３    排泥槽
４４    分離堰
４５    オーバーフロー
４６    排泥ポンプ
４７    配管
５０    設定装置
５１    設定器
５２    水量設定値
５３    設定値
【図１】
0003938463.tif 000002